(57)【要約】【課題】様々な用途に対応可能な柄杓を提供する。【解決手段】本考案の柄杓１は、対象物を貯留する凹状空間１２を有するすくい部１０と、すくい部１０と連結される棒状の柄部５０を備えて構成される。柄部５０は、自身の軸方向の長さを可変とする伸縮機構８０を有する。【選択図】図１
0003211418.tif 000002
【実用新案登録請求の範囲】
【請求項１】
対象物を貯留する凹状空間を有するすくい部と、
前記すくい部と連結される棒状の柄部と、を備えて構成され、
前記柄部は、自身の軸方向の長さを可変とする伸縮機構を有することを特徴とする、
柄杓。
【請求項２】
前記すくい部と前記柄部の間には、互いを連結及び離反させる着脱機構を有することを特徴とする、
請求項１に記載の柄杓。
【請求項３】
前記凹状空間の容積の異なる複数の前記すくい部を備え、
前記着脱機構によって、複数の前記すくい部が、共通の前記柄部に対して着脱自在であることを特徴とする、
請求項２に記載の柄杓。
【請求項４】
前記すくい部に設けられ、前記磁石部と共に前記柄部の突端近傍を着脱自在に収容する有底の筒状の接続部と、を備えることを特徴とする、
請求項２又は３に記載の柄杓。
【請求項５】
前記柄部の突端に設けられる磁石部を備え、
前記磁石部は、前記柄部の突端と共に前記接続部の内部に収容されることを特徴とする、
請求項４に記載の柄杓。
【請求項６】
前記接続部の軸方向長さが４ｃｍ以上となっており、該接続部が、使用者によって把持可能であることを特徴とする、
請求項４又は５に記載の柄杓。
【請求項７】
前記すくい部は、注ぎ口を有していることを特徴とする、
請求項１乃至６のいずれかに記載の柄杓。
【請求項８】
前記柄部の突端近傍又は前記すくい部に、磁石部が設けられることを特徴とする、
請求項１乃至３のいずれかに記載の柄杓。
【請求項９】
前記すくい部には、複数の液位及び容積を表示する目盛りが設けられることを特徴とする、
請求項１乃至８のいずれかに記載の柄杓。
【考案の詳細な説明】
【技術分野】
【０００１】
本考案は、水等の液体を汲む際に用いられる柄杓に関する。
【背景技術】
【０００２】
魚釣りでは、粉末の餌に水を加えて調整したり、手を洗うための水を確保したり、生魚を保管する容器内に水を溜めたりするような様々な場面で水が必要となる。これらの水は、池・沼・湖・河川・海から採取する必要があることから、多くの釣り人は柄杓や水汲み用の紐付きバケツを持参する。なお、柄杓は、魚をおびき寄せる餌を撒くためにも使用される（例えば、特許文献１参照）。
【先行技術文献】
【特許文献】
【０００３】
【特許文献１】特開２００８−０３５７５６
【考案の概要】
【考案が解決しようとする課題】
【０００４】
しかしながら、従来の柄杓は柄が短いため、河川等の水を採取しようとしても、柄杓のすくい部が水面まで届かないことが多い。その結果、釣り人は、岸から水面側に乗り出すような無理な姿勢で採水することから、水中への転落事故などが発生しやすい。
【０００５】
また釣り中には、自宅の鍵やライターの他、糸切りハサミ、電池、金属製の餌ボウル、ラジオペンチ、針外し等の釣りに使用する道具を水中に落としてしまう場合がある。しかし、落下物を回収する手段がないので、断念しなければならないことも多い。
【０００６】
更に従来の柄杓は、水をすくう目的や、餌を撒く目的などに対応して、柄の長さが固定されていたり、すくい部の形状が限定されていたりする結果、目的に合わせて複数種類の道具を持参しなければならず、荷物が嵩張る傾向にある。
【０００７】
本考案は、斯かる実情に鑑みてなされたものであり、様々な用途に柔軟に対応可能な柄杓を提供しようとするものである。
【課題を解決するための手段】
【０００８】
上記目的を達成する本手段は、対象物を貯留する凹状空間を有するすくい部と、前記すくい部と連結される棒状の柄部と、を備えて構成され、前記柄部は、自身の軸方向の長さを可変とする伸縮機構を有することを特徴とする、柄杓である。
【０００９】
上記柄杓に関連して、前記すくい部と前記柄部の間には、互いを連結及び離反させる着脱機構を有することを特徴とする。
【００１０】
上記柄杓に関連して、前記凹状空間の容積の異なる複数の前記すくい部を備え、前記着脱機構によって、複数の前記すくい部が、共通の前記柄部に対して着脱自在であることを特徴とする。
【００１１】
上記柄杓に関連して、前記すくい部に設けられ、前記磁石部と共に前記柄部の突端近傍を着脱自在に収容する有底の筒状の接続部と、を備えることを特徴とする。
【００１２】
上記柄杓に関連して、前記柄部の突端に設けられる磁石部を備え、前記磁石部は、前記柄部の突端と共に前記接続部の内部に収容されることを特徴とする。
【００１３】
上記柄杓に関連して、前記接続部の軸方向長さが４ｃｍ以上となっており、該接続部が、使用者によって把持可能であることを特徴とする。
【００１４】
上記柄杓に関連して、前記すくい部は、注ぎ口を有していることを特徴とする。
【００１５】
上記柄杓に関連して、前記柄部の突端近傍又は前記すくい部に、磁石部が設けられることを特徴とする。
【００１６】
上記柄杓に関連して、前記すくい部には、複数の液位及び容積を表示する目盛りが設けられることを特徴とする。
【考案の効果】
【００１７】
本考案によれば、様々な用途に柔軟に対応可能な柄杓を得ることが可能になる。
【図面の簡単な説明】
【００１８】
【図１】本考案の実施形態に係る柄杓の（Ａ）正面図、（Ｂ）平面図、（Ｃ）柄部を伸長させた状態の平面図である。
【図２】（Ａ）は同柄杓の連結時の着脱機構を拡大して示す平面部分断面図であり、（Ｂ）は離反時の着脱機構を拡大して示す平面部分断面図である。
【図３】同柄杓のロック機構を示す（Ａ）解放時の平面部分断面図及び同図のＡ−Ａ矢視断面図であり、（Ｂ）ロック時の平面部分断面図及び同図のＢ−Ｂ矢視断面図である。
【図４】（Ａ）乃至（Ｄ）は交換用のすくい部を示す平面図であり、（Ｅ）は柄部のみを示す平面図である。
【図５】（Ａ）及び（Ｂ）は同柄杓の使用態様を示す図である。
【図６】同柄杓のすくい部の変形例を示す正面図である。
【考案を実施するための形態】
【００１９】
以下、本考案の実施の形態について、添付図面を参照して説明する。図１には、本実施形態の柄杓１の全体構成が示される。柄杓１は、すくい部１０と、すくい部１０と連結される棒状の柄部５０を備える。
【００２０】
＜すくい部＞
すくい部１０は、お椀型、又は、底を有する円筒形状となっており、その内部が、水等の液体の対象物を貯留する凹状空間１２となる。またすくい部１０の上縁には、くちばし状の注ぎ口１４が形成されており、貯留した液体を滑らかに注ぐことができる。すくい部１０の内周面又は外周面には、参考用の目盛り１５が表示される。この目盛り１４は、複数の液位線１６と、その液位線１６まで液体を貯留した際の容積を意味する数値表示１７を有している。更にすくい部１０は接続部２０を有する。この接続部２０は、すくい部１０の外周面において半径方向外側に突出しており、柄部５０の突端近傍を着脱自在に収容する。
【００２１】
なお、本実施形態では、すくい部１０はプラスチックで構成されているが、その材質は特に限定されず、金属や木などで構成しても良い。
【００２２】
＜柄部＞
柄部５０は、先端側の第一棒部６０と、後端側の第二棒部７０を備えており、それぞれ４０ｃｍ以上の長さ、好ましくは５０ｃｍ以上の長さに設定される。第二棒部７０は円筒形状のパイプ材となっており、その内周側に第一棒部６０の後端側が挿入される。第一棒部６０と第二棒部７０は、互いに軸方向に摺動自在となっていることから、柄部５０の全長が可変となる。即ち、柄部５０は、この摺動構造によって、自身の軸方向の長さを可変とする伸縮機構８０を内在している。なお、第一棒部６０と第二棒部７０の材質は、アルミや鉄などの金属素材が好ましいが、本鋼板はこれに限定されず、カーボンやプラスチック（強化プラスチックを含む）等であっても良い。
【００２３】
第二棒部７０の後端には、パイプ材のエンドキャップを兼ねた把持部７４が装着される。把持部７４は、第二棒部７０よりも多少太くなっており、利用者が握りやすくなっている。勿論、利用者はこの把持部７４以外の部分を握ることも可能である。
【００２４】
第二棒部７０の先端には、円筒状の第二グリップ７２が装着される。この第二グリップ７２は、第二棒部７０よりも多少太くなっており、利用者が握りやすくなっている。第二グリップ７２は、後述するロック機構９０を操作する際に用いられる。
【００２５】
＜着脱機構＞
次に、図２を参照して、すくい部１０と柄部５０を互いに連結したり、離反させたりする着脱機構３０について説明する。
【００２６】
すくい部１０に形成される接続部２０は、底を有する筒状部材となっており、その内周面には、右ねじとなる雌ねじ部２２が形成される。一方、第一棒部６０の突端近傍の外周面には、右ねじとなる雄ねじ部６２が形成される。なお、雄ねじ部６２の後端側に隣接して、第一グリップ６４が形成される。利用者は、第一グリップ６４を握りながら、第一棒部６０の突端を接続部２０内に挿入して、第一棒部６０と接続部２０を互いに右ねじ方向（締結方向）に相対回転させて、雌ねじ部２２と雄ねじ部６２を螺合させる。結果、すくい部１０と第一棒部６０が、ねじ締結によって連結される。なお、第一棒部６０と接続部２０を、左ねじ方向（緩み方向）に相対回転させれば、すくい部１０と第一棒部６０を簡単に離反させることができる。
【００２７】
＜磁石部＞
図２に示すように、柄部５０（第一棒部６０）の突端の端面には、磁石部６６が設けられる。この磁石部６６は、いわゆる永久磁石であり、水中に金属の物品を落とした場合に、それを磁力で吸引保持して拾い上げる役割を担う。
【００２８】
磁石部６６は、第一棒部６０の突端に配置されており、且つ、第一棒部６０の端面の外形よりも小さく設定されていることから、第一棒部６０と接続部２０を連結すると、接続部２０の内部に磁石部６６が収容される。従って、すくい部１０と柄部５０を連結して、すくい部１０を使用している最中は、磁石部６６が接続部２０の内部に封止されて水と触れないで済むので、錆などを抑制できる。
【００２９】
＜伸縮機構のロック機構＞
図３に示すように、第一棒部６０と第二棒部７０によって構成される伸縮機構８０は、任意位置で伸縮状態を固定するロック機構９０を有する。このロック機構９０は、第一棒部６０の後端に設けられるテーパ雄ねじ部９２と、テーパ雄ねじ部９２の突端（最後端）に拡径状態で形成されるストッパ９４と、テーパ雄ねじ部９２と螺合可能な拡縮雌ねじ部９６と、拡縮雌ねじ部９６に配置される付勢体９８を備える。
【００３０】
テーパ雄ねじ部９２は、後端側が小径となる円錐形状の周面に雄ねじが形成された構造となる。拡縮雌ねじ部９６は、周方向に沿って複数（ここでは２つ）に分割された雌ねじ片９７、９７を備えており、この雌ねじ片９７、９７が、半径方向に移動することで、外径が拡大・縮小する。付勢体９８は、板バネ等の弾性部材であり、互いの雌ねじ片９７、９７を互いに離反させる方向（又は半径方向外側）に付勢して、雌ねじ片９７、９７の外周面と第二棒部７０の内周面の間に、ロック操作時に必要な摩擦力を生じさせる。
【００３１】
ちなみに、図３（Ａ）は、テーパ雄ねじ部９２と拡縮雌ねじ部９６が緩み状態となる「解放状態」を示しているが、説明の便宜上、雌ねじ片９７、９７の外周面が、第二棒部７０の内周面から離反している。しかし、実際は、付勢体９８の付勢力によって、雌ねじ片９７、９７の外周面が第二棒部７０の内周面に当接している。このようにすると、図３（Ａ）の「開放状態」から、図３（Ｂ）の「ロック状態」に遷移させるロック操作時に、テーパ雄ねじ部９２と拡縮雌ねじ部９６に相対回転を生じさせる程度の弱い摩擦力が得られる。なお、この弱い摩擦力は、第一棒部６０と第二棒部７０の軸方向の摺動を阻害しない程度に設定される。
【００３２】
また、テーパ雄ねじ部９２の突端のストッパ９４は、拡縮雌ねじ部９６と軸方向に係合することで、拡縮雌ねじ部９６がテーパ雄ねじ部９２の突端から離脱することを常に抑止している。
【００３３】
図３（Ａ）の「開放状態」から、図３（Ｂ）の「ロック状態」に遷移させるためには、第一棒部６０と第二棒部７０を所定のロック方向（ここでは右ねじ方向）に相対回転させる。結果、第一棒部６０と一体となるテーパ雄ねじ部９２と、第二棒部７０と摩擦力によって供回りする拡縮雌ねじ部９６が相対回転して、テーパ雄ねじ部９２と拡縮雌ねじ部９６が螺合する。
【００３４】
テーパ雄ねじ部９２と拡縮雌ねじ部９６が螺合すると、テーパ雄ねじ部９２の傾斜面に沿って、複数の雌ねじ片９７、９７が半径方向外側に移動して、第二棒部７０の内周面に強く押し付けられる（図３（Ｂ）参照）。拡縮雌ねじ部９６と第二棒部７０の内周面の間の摩擦力によって得られるくさび効果により、第一棒部６０と第二棒部７０が、軸方向に摺動不能となる。従って、本実施形態の伸縮機構８０は、ロック機構９０によって、図３（Ａ）の開放状態で、柄部５０を任意の長さに伸縮させてから、図３（Ｂ）のロック状態で、その長さを固定できる。
【００３５】
＜交換用すくい部＞
図４には、共通の柄部５０に対して着脱自在な複数のすくい部１０が示される。図４（Ａ）のすくい部１０と比較して、図４（Ｂ）のすくい部１０は、凹状空間１２の最大容積が小さい。また、図４（Ｂ）のすくい部１０と比較して、図４（Ｃ）のすくい部１０は、凹状空間１２の最大容積が更に小さい。また、図４（Ａ）のすくい部１０が円筒形状になるのと比較して、図４（Ｄ）のすくい部１０は、凹状空間１２が方形となる。このように、本実施形態の柄杓１は、容積が異なったり、形状が異なったりする複数種類のすくい部１０を、着脱機構３０によって、自在に交換して用いることができる。従って、使用目的に合った複数のすくい部１０と、一本の柄部５０を持参すれば良いので、荷物が嵩張らない。勿論、磁石部６６による金属物の回収目的の場合は、図４（Ｅ）の柄部５０のみを持参すれば良い。
【００３６】
以上の本実施形態の柄杓１によれば、図５（Ａ）に示すように、河川等において、岸から水面が遠い場所であっても、伸縮機構８０によって、柄部５０を自在に伸ばすことができるので、すくい部１０を水中に投入して採水できる。一方、柄杓１の運搬時は、伸縮機構８０によって、柄部５０を最短長さにできるので、邪魔にならないで済む。
【００３７】
また本柄杓１によれば、すくい部１０と柄部５０を着脱機構３０によって分離できるので、柄杓１の運搬時は、すくい部１０と柄部５０を別々に分離して収納できる。また例えば、釣り中における柄杓１による採水後、柄部５０を取り外すことで、すくい部１０を単体の容器として活用し、粉末状の練り餌を混ぜて餌づくりを行うことができる。即ち、本柄杓１は、必要に応じて、すくい部１０単体が汎用容器となる。この際、すくい部１０には、複数の液位及び容積を表示する目盛り１５や、注ぎ口１４が設けられているので、計量カップとして活用できる。また、交換可能な様々なサイズや形状のすくい部１０を用意しておくことで、例えば、海釣り等において、海面に撒き餌を行う際は、最も容積の小さいすくい部１０に交換することで、利便性を高めることができる。
【００３８】
更に本柄杓１は、図５（Ｂ）に示すように、柄部５０の突端に磁石部６６が設けられているので、水中に金属物を落とした場合、磁力によって吸引保持して回収することも可能になる。特に釣り中は、ラジオペンチや針等の金属製の釣りに使用する道具を水中に落とすことが多いことから、磁石部６６が極めて有用となる。
【００３９】
なお、上記実施形態では、すくい部１０に設けられる接続部２０の長さが比較的短い（４ｃｍ未満）場合を例示したが、本考案はこれに限定されない。例えば図６に示すように、接続部２０の長さを４ｃｍ以上、より好ましくは５ｃｍ以上として、一般の大人が手で握れるようにすることが好ましい。このようにすると、柄部５０を取り外した状態であっても、接続部２０を握ってすくい部１０を取り扱うことが可能となり、容器としての利便性を一層高めることが可能となる。
【００４０】
また、上記実施形態では、第一棒部６０と第二棒部７０の相対移動によって、伸縮する場合を例示しているが、本発明はこれに限定されず、他の構造によって伸縮しても良く、また、第三棒部を追加して、二段以上の相対移動で伸縮させるようにしても良い。即ち、伸縮機構は１つに限定されず、複数備えていても良い。
【００４１】
尚、本考案の柄杓は、上記した実施の形態に限定されるものではなく、本考案の要旨を逸脱しない範囲内において種々変更を加え得ることは勿論である。また、使用用途は、釣りに限定されるものではなく、例えば、植物への水撒きや、墓参り等、様々な場面で用いることができる。
【符号の説明】
【００４２】
１    柄杓
１０    すくい部
１２    凹状空間
１４    口
１５    目盛り
２０    接続部
２２    雌ねじ部
３０    着脱機構
５０    柄部
６０    第一棒部
６２    雄ねじ部
６４    第一グリップ
６６    磁石部
７０    第二棒部
７２    第二グリップ
７４    把持部
８０    伸縮機構
９０    ロック機構
【図１】
0003211418.tif 000003
【図２】
0003211418.tif 000004
【図３】
0003211418.tif 000005
【図４】
0003211418.tif 000006
【図５】
0003211418.tif 000007
【図６】
0003211418.tif 000008
【手続補正書】
【提出日】平成29年5月17日(2017.5.17)
【手続補正１】
【補正対象書類名】実用新案登録請求の範囲
【補正対象項目名】全文
【補正方法】変更
【補正の内容】
【実用新案登録請求の範囲】
【請求項１】
対象物を貯留する凹状空間を有するすくい部と、
前記すくい部と連結される棒状の柄部と、を備えて構成され、
前記柄部は、自身の軸方向の長さを可変とする伸縮機構を有することを特徴とする、
柄杓。
【請求項２】
前記すくい部と前記柄部の間には、互いを連結及び離反させる着脱機構を有することを特徴とする、
請求項１に記載の柄杓。
【請求項３】
前記凹状空間の容積の異なる複数の前記すくい部を備え、
前記着脱機構によって、複数の前記すくい部が、共通の前記柄部に対して着脱自在であることを特徴とする、
請求項２に記載の柄杓。
【請求項４】
前記すくい部に設けられ、前記柄部の突端近傍を着脱自在に収容する有底の筒状の接続部と、を備えることを特徴とする、
請求項２又は３に記載の柄杓。
【請求項５】
前記柄部の突端に設けられる磁石部を備え、
前記磁石部は、前記柄部の突端と共に前記接続部の内部に収容されることを特徴とする、
請求項４に記載の柄杓。
【請求項６】
前記接続部の軸方向長さが４ｃｍ以上となっており、該接続部が、使用者によって把持可能であることを特徴とする、
請求項４又は５に記載の柄杓。
【請求項７】
前記すくい部は、注ぎ口を有していることを特徴とする、
請求項１乃至６のいずれかに記載の柄杓。
【請求項８】
前記柄部の突端近傍又は前記すくい部に、磁石部が設けられることを特徴とする、
請求項１乃至３のいずれかに記載の柄杓。
【請求項９】
前記すくい部には、複数の液位及び容積を表示する目盛りが設けられることを特徴とする、
請求項１乃至８のいずれかに記載の柄杓。